(57)【要約】【課題】撮影時の手ぶれの問題が改善された携帯電話機および当該携帯電話機による撮影方法を提供することを課題とするものである。【解決手段】情報表示部を有する表示側筐体１、キー操作部を有する操作側筐体２、レンズ４１を有するデジタルカメラ４、および表示側筐体１と操作側筐体２との二つ折りを可能にするヒンジ３を備えた携帯電話機であって、撮影の際に二つ折りされた上記携帯電話機を持ち易くするために、上記撮影装置のレンズ４１が設置された筐体外面に指掛部の一例としての条状凸部５が設けられ、さらに好ましくは一層安定に持ち易くするために第一突起部２１、第二突起部２５、第三突起部２６あるいは第四突起部２７などの電話機把持用突起部が設けられる。【選択図】        図５
2004228904.tif 000002
【特許請求の範囲】
【請求項１】
情報表示部を有する表示側筐体、キー操作部を有する操作側筐体、上記表示側筐体と上記操作側筐体とを二つ折り可能に連結する連結装置、および撮影装置を備えた携帯電話機であって、撮影の際に二つ折りされた上記携帯電話機を持ち易くするための指掛部が、上記撮影装置のレンズが設置された筐体外面に設けられたことを特徴とする携帯電話機。
【請求項２】
上記指掛部は、凹部または凸部であることを特徴とする請求項１記載の携帯電話機。
【請求項３】
上記撮影装置のシャッター装置は、上記操作側筐体の側面に設けられ、且つ上記表示側筐体は、その外面に上記撮影装置における被写体像を表示する補助表示部を備えたことを特徴とする請求項１または請求項２記載の携帯電話機。
【請求項４】
撮影の際に二つ折りされた上記携帯電話機を持ち易くする電話機把持用突起部が設けられたことを特徴とする請求項１〜請求項３のいずれか一項記載の携帯電話機。
【請求項５】
上記電話機把持用突起部は、上記操作側筐体の上記連結部側端に設けられると共に上記操作側筐体の長手方向に延在する第一突起部、上記操作側筐体の上記連結部側端に設けられると共に上記連結部またはその近傍において上記操作側筐体の長手方向と直交する方向またはそれに近い方向に延在する第二突起部、上記連結部における上記表示側筐体の端部および／または上記操作側筐体の端部に凹部を設けることにより形成されて上記連結部を含む第三突起部、または上記操作側筐体の上記連結部と反対側端に設けられると共に上記操作側筐体の長手方向に延在する第四突起部、であることを特徴とする請求項４記載の携帯電話機。
【請求項６】
上記電話機把持用突起部は、その内部に送受信アンテナ、バッテリ、または電気接続用コネクタを内蔵していることを特徴とする請求項４記載の携帯電話機。
【請求項７】
上記電話機把持用突起部は、その表面の少なくとも一部に把持の際の滑り止めの機能をなす有機高分子部が設けられたことを特徴とする請求項４記載の携帯電話機。
【請求項８】
上記有機高分子部は、上記電話機把持用突起部の外面を覆うように設けられた被覆層であることを特徴とする請求項７記載の携帯電話機。
【請求項９】
上記有機高分子部の形成材料はウレタン系エラストマーであり、且つ上記被覆層は、二色成形法にて上記電話機把持用突起部と一体に成形されたものであることを特徴とする請求項８記載の携帯電話機。
【請求項１０】
請求項１〜請求項９のいずれか一項記載の上記携帯電話機を二つ折りにする第一工程、二つ折りされた上記携帯電話機の上記指掛部に指が掛かるように把持して上記撮影装置の上記シャッター装置を押す第二工程を含むことを特徴とする携帯電話機による撮影方法。
【請求項１１】
上記第二工程の前に上記補助表示部に表示された被写体像を確認し、必要に応じて上記携帯電話機の位置または角度を変える第三工程を含むことを特徴とする請求項１０記載の携帯電話機による撮影方法。
【発明の詳細な説明】
【０００１】
【発明の属する技術分野】
本発明は、撮影装置を備えた携帯電話機および当該携帯電話機による撮影方法に関し、特に良質の撮像を得ることに好適な携帯電話機およびそれによる撮影方法に関するものである。
【０００２】
【従来の技術】
情報表示部を有する表示側筐体、キー操作部を有する操作側筐体、撮影装置、および上記表示側筐体と上記操作側筐体との二つ折りを可能にする連結装置を備えた携帯電話機は、後記する特許文献１から従来公知である。従来公知の携帯電話機は、キー操作部中に各種のボタンと操作キーを有し、当該操作キーは上記撮影装置にて撮影する際にシャッターボタンとしての機能をも兼務している。したがってかかる携帯電話機にて撮影を行う際には、携帯電話機を開いて細長の状態として、上記の情報表示部に写し出された被写体の映像を確認しながら上記操作キーを押すことになる。
【０００３】
【特許文献１】
特開２００２−３００２３７号公報（請求項１、段落番号３〜段落番３２、図１）
【０００４】
上記した開いた状態で細長く延びた携帯電話機での撮影においては、片手で操作側筐体を握ってシャッターボタンたる操作キーを押すことになるが、シャッターボタンとレンズの位置が通常離れていることおよび不安定な片手持ちのために、手ぶれが生じ易い。また携帯電話機を閉じた状態で撮影を行う場合でも、当該携帯電話機の外面は一般的に平滑であるために滑り易く、このために不安定な状態でしか撮影を行えないので矢張り手ぶれが生じ易い問題があった。
【０００５】
ところで近時においては、携帯電話機の撮影装置を一層高機能化して鮮明度あるいは解像度の高い高品質の撮像を得る要求が高まっていて、５０万ピクセルあるいはそれ以上の高画素数のイメージセンサを有する高性能撮影装置が搭載されるようになると、撮影時の手ぶれはかかる撮影装置の高性能を活かし得ない大きな問題となる。
【０００６】
【発明が解決しようとする課題】
本発明は、従来技術における如上の問題、並びに近時における携帯電話機の撮影装置を一層高性能化しようとする趨勢に鑑みて、撮影時の手ぶれの問題が改善された携帯電話機および当該携帯電話機による撮影方法を提供することを課題とするものである。
【０００７】
【課題を解決するための手段】
本発明の携帯電話機は、情報表示部を有する表示側筐体、キー操作部を有する操作側筐体、上記表示側筐体と上記操作側筐体とを二つ折り可能に連結する連結装置、および撮影装置を備えた携帯電話機であって、撮影の際に二つ折りされた上記携帯電話機を持ち易くするための指掛部が、上記撮影装置のレンズが設置された筐体外面に設けられたことを特徴とするものであり、本発明の携帯電話機による撮影方法は、請求項１〜請求項９のいずれか一項記載の上記携帯電話機を二つ折りにする第一工程、二つ折りされた上記携帯電話機の上記指掛部に指が掛かるように把持して上記撮影装置の上記シャッター装置を押す第二工程を含むことを特徴とするものである。
【０００８】
【発明の実施の形態】
以下において、説明の早い図に示された部位または表示が後続の図でも示される場合には、互いに同じ符号または表示を付して後続の図では説明を省略することがある。
【０００９】
実施の形態１．
図１および図２は、本発明の携帯電話機および当該携帯電話機による撮影方法における実施の形態１を説明するものであって、図１は当該携帯電話機１０を二つ折りした状態での表示側筐体側から見た斜視図であり、図２は操作側筐体側から見た、且つ図１の二つ折り体を撮影者の手で把持した状態での斜視図である。
【００１０】
図１および図２において、携帯電話機１０は、表示側筐体１、操作側筐体２、前記連結装置の一例としてのヒンジ３、前記撮影装置の一例としてのデジタルカメラ４、前記指掛部の一例としての条状凸部５、および前記電話機把持用突起部の一例としての第一突起部２１を含み、表示側筐体１と操作側筐体２とは、ヒンジ３により二つ折り可能に連結されている。第一突起部２１は、操作側筐体２のヒンジ３側端に設けられると共に操作側筐体２の長手方向に延在することにより把持し易くなっている。
【００１１】
表示側筐体１は、その内面に情報表示部（図示せず）を、その外面にデジタルカメラ４における被写体像を表示する機能を有する補助表示部１１をそれぞれ備えている。操作側筐体２は、その内面上にキー操作部（図示せず）を、その外面（前記筐体外面）上にデジタルカメラ４のレンズ４１および条状凸部５をそれぞれ備え、その側面上にデジタルカメラ４の、前記シャッター装置の一例としてのシャッターボタン４２を備えている。操作側筐体２は、またその筐体内にデジタルカメラ４のカメラ本体、コネクタ、バッテリ、および送受信アンテナなどを内蔵している（いずれも図示せず）。
【００１２】
次に動作について説明する。携帯電話機１０は、開いた状態でキー操作部を操作することによって従来通り必要な情報を情報表示部に表示させて情報の送受信あるいはその他の操作が可能であり、一方、携帯時には閉じた状態、即ち表示側筐体１と操作側筐体２とを二つ折り状態とし、その状態でも情報表示部の補助的な情報を補助表示部１１にて確認することができる。またデジタルカメラ４にて相手などの被写体の撮影を行う場合、閉じた状態の携帯電話機１０（以下、二つ折り体）の第一突起部２１を携帯電話機の操作者（撮影者）の手Ｈ１で握り、且つ例えば中指Ｈ２を条状凸部５に指掛けする。ついで補助表示部１１にて被写体の状態を確認し、その際に必要に応じて二つ折り体の位置や角度を修正して所望の被写体の像を得、ついで人差し指Ｈ３にてシャッターボタン４２を押して撮影を完了する。
【００１３】
実施の形態１の二つ折り体は、条状凸部５や第一突起部２１のない従来の携帯電話機の二つ折り体と比較して格段に安定して持つことができ、この結果、シャッターボタン４２を押す際の手ぶれがし難く、良質の撮像を得ることができる。したがって、本発明においてデジタルカメラ４としては、画素数が３０万ピクセル程度の従来のイメージセンサを採用したものであってもよいが、画素数が５０万ピクセル以上、特に１〜２メガピクセル程度あるいはそれ以上の高画素数のイメージセンサ、例えばＣＣＤ、Ｃ―ＭＯＳなどを備えたものが特に好ましく、手ぶれがし難くいのでかかる高画素数のデジタルカメラの性能を活かして鮮明度や解像度の一層高い良質の撮像を得ることができる。
【００１４】
本発明においては、レンズ４１が設置された筐体外面に条状凸部５などの前記指掛部が設けられるだけでも撮影の際の二つ折り体の把持の安定性が大きく向上するが、それに加えて第一突起部２１などの前記電話機把持用突起部をも設けられると、二つ折り体を確実に把持することができるので操作し易く、手ぶれが一層し難い効果がある。なお前記指掛部としては、条状凸部５に限らず、上記筐体外面に設けられた凹部、鉤部など、五指の何れかを掛けることにより、二つ折り体の把持が安定化する機能を奏し得るものであればよい。
【００１５】
実施の形態２．
図３および図４は、本発明の携帯電話機における実施の形態２を説明するものであって、図３は当該携帯電話機を二つ折りした状態での表示側筐体側から見た一部破断図を含む斜視図であり、図４は操作側筐体側から見た、且つ図３の二つ折り体を撮影者の手（点線で示す）で把持した状態での一部破断図を含む斜視図である。図３および図４において、第一突起部２１の外面には有機高分子層２１１が設けられており、実施の形態２は前記実施の形態１とは有機高分子層２１１を有する点において異なり、その他の構成は同じである。撮影に際して、実施の形態１の図２に基づいて説明したように撮影者の手Ｈ１で二つ折り体を把持した状態では、有機高分子層２１１は滑り止めの作用により撮影者による把持を容易にする作用をなして、シャッターボタン４２を押す際の手ぶれを一層少なくする効果に加えて、二つ折り体のハンドリング性の向上、さらには撮影時などに二つ折り体を誤って落下させても破壊の程度を軽減する効果もある。
【００１６】
しかして有機高分子層２１１は、かかる作用を奏し得る有機高分子材料にて形成されればよい。上記有機高分子材料としては、具体的には滑り止めの作用を示すゴム弾性体、例えば各種の合成ゴムや天然ゴムの架橋または加硫物類、あるいは各種の熱可塑性エラストマー類などが例示され、就中、ウレタン系エラストマー類は、高級感と良好な手触感触を有しながら、その皮膜の機械的強靭性、耐熱性、耐油性、耐磨耗性などにも優れているので特に好ましい。
【００１７】
有機高分子層２１１などの前記有機高分子部の形成方法は、有機高分子材料の成形加工の分野で周知あるいは公知の方法、例えば操作側筐体２の製造の際に周知の二色成形法により操作側筐体２の成形と同時に一体成形する方法がよく、かくすると効率よく且つ安価に製造することができる。上記の二色成形法は、特にウレタン系エラストマーから形成された有機高分子層２１１の形成に好適である。なお、有機高分子層２１１は、本発明における前記有機高分子部の一例であって、当該有機高分子部は、第一突起部２１の外面の略全面を覆う有機高分子層２１１のような層状態のものに限らず、要は、当該有機高分子部を形成する上記有機高分子材料の滑り止めの作用に基づいて二つ折り体の把持性を改善する態様、例えば有機高分子材の条状突起をストライプ状に設ける、複数の小突起を碁盤目状あるいは千鳥状に設けるなどであればよい。
【００１８】
後続の実施の形態では、本発明における前記電話機把持用突起部の例として第一突起部２１と同じ構造のもの、あるいは他の構造のものが例示されるが、それらの電話機把持用突起部についても上記した有機高分子材料、形成方法、有機高分子材料の存在形態などにて有機高分子部が設けられることが好ましい。
【００１９】
実施の形態３．
図５は、本発明の携帯電話機における実施の形態３の当該携帯電話機を二つ折りした状態での操作側筐体側から見た、一部破断図を含む斜視図である。図５において、第一突起部２１の内部には送受信アンテナ２２が内蔵されている。実施の形態３は、この点において前記実施の形態１と異なり、その他の構成は同じである。よって実施の形態３は、実施の形態１と同様に二つ折り体の把持の安定性その他に優れており、それに加えて第一突起部２１の内部を送受信アンテナ２２の内蔵に利用することにより、操作側筐体２内部空間を有効利用できて、第一突起部２１を設けても携帯電話機を小形化でき、且つ低コスト化が図れる効果がある。
【００２０】
実施の形態４．
図６は、本発明の携帯電話機における実施の形態４の当該携帯電話機を二つ折りした状態での操作側筐体側から見た、一部破断図を含む斜視図である。図６において、第一突起部２１の内部には携帯電話機を稼動させるためのバッテリ２３が内蔵されている。しかして実施の形態４は、第一突起部２１内に前記実施の形態３における送受信アンテナ２２に代えてバッテリ２３が内蔵されている点において異なり、その他の構成は同じである。よって実施の形態４は、実施の形態３と同様の効果がある。
【００２１】
実施の形態５．
図７は、本発明の携帯電話機における実施の形態５の当該携帯電話機を二つ折りした状態での操作側筐体側から見た斜視図である。図７において、第一突起部２１の内部には電気接続用のコネクタ２４が内蔵されている。しかして実施の形態５は、第一突起部２１内に前記実施の形態４におけるバッテリ２３に代えてコネクタ２４が内蔵されている点において異なり、その他の構成は同じである。よって実施の形態５は、実施の形態３や実施の形態４と同様の効果がある。
【００２２】
実施の形態６．
図８は、本発明の携帯電話機における実施の形態６の当該携帯電話機を二つ折りした状態での操作側筐体側から見た斜視図である。図８において、携帯電話機１０は、電話機把持用突起部の一例としての第二突起部２５を備えている。しかして実施の形態６は、実施の形態１における第一突起部２１に代えて第二突起部２５が採用された点において異なり、その他の構成は同じである。第二突起部２５は、操作側筐体２のヒンジ３側端に設けられ、ヒンジ３において操作側筐体２の長手方向と直交する方向に延在している。第二突起部２５は、前記第一突起部２１と同様の作用を奏するので、実施の形態５は、実施の形態１と同様の効果がある。なお第二突起部２５は、操作側筐体２の長手方向と直交する方向に延在しているが、直交方向ではなしに、条状凸部５側あるいはその反対側に接近するように傾斜して延在していてもよい。
【００２３】
実施の形態７．
図９は、本発明の携帯電話機における実施の形態７の当該携帯電話機を二つ折りした状態での操作側筐体側から見た斜視図である。図９において、携帯電話機１０は、電話機把持用突起部の一例としての第三突起部２６ａを備えている。しかして実施の形態７は、実施の形態１とは第一突起部２１に代えて第三突起部２６ａが採用された点において異なり、その他の構成は同じである。第三突起部２６ａは、ヒンジ３における表示側筐体１の端部および操作側筐体２の端部の両方にそれぞれ凹部１９、２９を設けることによりヒンジ３を突出させてなるものである。凹部１９、２９を設けることにより第三突起部２６ａは把持し易くなっている。よって第三突起部２６ａは、前記第一突起部２１と同様の作用を奏するので、実施の形態７は、実施の形態１と同様の効果がある。なお第三突起部２６ａは、実施の形態７においては両凹部１９、２９を設けることにより形成されているが、凹部１９のみ、あるいは凹部２９のみの形成にて設けられたものであってもよい。
【００２４】
実施の形態８．
図１０は、本発明の携帯電話機における実施の形態８の当該携帯電話機を二つ折りした状態での操作側筐体側から見た斜視図である。図１０において、携帯電話機１０は、電話機把持用突起部の一例としての第三突起部２６ｂと第四突起部２７を備えている。しかして実施の形態８は、実施の形態７とは第三突起部２６ｂと第四突起部２７の両突起部を有する点において異なり、その他の構成は同じである。実施の形態７における第三突起部２６ａは条状凸部５に近い側に、一方、実施の形態８における第三突起部２６ｂはレンズ４１に近い側にそれぞれ設けられており、両突起部２６ａ、２６ｂは、同様の構造、並びに同様の作用を有する。第四突起部２７は、操作側筐体２のヒンジ３と反対側端に設けられ、且つ操作側筐体２が表示側筐体１より長尺であることにより表示側筐体１の先端部を越えて延在していて、前記第一突起部２１あるいはその他の電話機把持用突起部と同様の作用を奏する。実施の形態８では、第三突起部２６ｂと第四突起部２７の２突起部が設けられているが、第三突起部２６ｂを廃して第四突起部２７のみとしてもよい。
【００２５】
【発明の効果】
本発明の携帯電話機は、以上説明した通り、情報表示部を有する表示側筐体、キー操作部を有する操作側筐体、上記表示側筐体と上記操作側筐体とを二つ折り可能に連結する連結装置、および撮影装置を備えた携帯電話機であって、撮影の際に二つ折りされた上記携帯電話機を持ち易くするための指掛部が、上記撮影装置のレンズが設置された筐体外面に設けられたことを特徴とするものであり、本発明の携帯電話機による撮影方法は、請求項１〜請求項９のいずれか一項記載の上記携帯電話機を二つ折りにする第一工程、二つ折りされた上記携帯電話機の上記指掛部に指が掛かるように把持して上記撮影装置の上記シャッター装置を押す第二工程を含むことを特徴とするものである。このために本発明の携帯電話機は、上記表示側筐体と上記操作側筐体とが開いた状態でキー操作することによって従来通り必要な情報を表示させて情報の送受信あるいはその他の操作が可能であり、また上記表示側筐体と上記操作側筐体とを閉じた二つ折り状態として、付属の撮影装置にて相手などの被写体の撮影を行う場合、撮影者は上記指掛部に中指や薬指の先端部を指掛けすることにより二つ折り体を、上記指掛部のない従来の二つ折り体と比較して格段に安定して持つことができ、この結果、シャッター装置を押す際の手ぶれがし難く、良質の撮像を得ることができる。この結果、撮影装置として現在以上に高画素数のイメージセンサを備えたものを使用しても、その性能が活かされて従来と比較して格段に解像度の高い撮像を得ることができる効果がある。
【図面の簡単な説明】
【図１】実施の形態１の携帯電話機を二つ折りした状態での斜視図。
【図２】実施の形態１の携帯電話機を二つ折りした状態での他の斜視図。
【図３】実施の形態２の携帯電話機を二つ折りした状態での一部破断図を含む斜視図。
【図４】実施の形態２の携帯電話機を二つ折りした状態での他の一部破断図を含む斜視図。
【図５】実施の形態３の携帯電話機を二つ折りした状態での一部破断図を含む斜視図。
【図６】実施の形態４の携帯電話機を二つ折りした状態での一部破断図を含む斜視図。
【図７】実施の形態５の携帯電話機を二つ折りした状態での斜視図。
【図８】実施の形態６の携帯電話機を二つ折りした状態での斜視図。
【図９】実施の形態７の携帯電話機を二つ折りした状態での斜視図。
【図１０】実施の形態８の携帯電話機を二つ折りした状態での斜視図。
【符号の説明】
１０  携帯電話機、１  表示側筐体、１１  補助表示部、２  操作側筐体、
２１  第一突起部、２１１  有機高分子層、２２  送受信アンテナ、
２３  バッテリ、２４  コネクタ、２５  第二突起部、２６  第三突起部、
２７  第四突起部、３  ヒンジ、４  デジタルカメラ、４１  レンズ、４２  シャッターボタン、５  条状凸部、２１１  有機高分子層。
【図１】
2004228904.tif 000003
【図２】
2004228904.tif 000004
【図３】
2004228904.tif 000005
【図４】
2004228904.tif 000006
【図５】
2004228904.tif 000007
【図６】
2004228904.tif 000008
【図７】
2004228904.tif 000009
【図８】
2004228904.tif 000010
【図９】
2004228904.tif 000011
【図１０】
2004228904.tif 000012